(57)【特許請求の範囲】
【請求項１】
出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、受信した信号の処理及び送信信号を出力する制御回路を有した応答器と、前記質問器のコイルアンテナと前記応答器のコイルアンテナの間に前記質問器のコイルアンテナと平行に配置された磁束を集中させる補助コイルと、から構成される移動体識別システム。
【請求項２】
出力信号を出力するとともに受信信号の処理を行う制御回路、前記出力信号の送信及び外部からの信号を受信するコイルアンテナと、前記コイルアンテナ上方に前記コイルアンテナと平行に配置された磁束を集中させる補助コイルと、から構成される移動体識別用質問器。
【請求項３】
前記コイルアンテナ下方に配置された金属遮断板を有する請求項２記載の移動体識別用質問器。
【請求項４】
前記コイルアンテナ下方に配置された前記コイルアンテナをはめ込む溝を設けた磁性体を有する請求項２記載の移動体識別用質問器。
【請求項５】
前記磁束を集中させる補助コイルは、前記コイルアンテナと同等の大きさである請求項２から４に記載の移動体識別用質問器。
【請求項６】
外部からの信号を受信するとともに、外部に信号を送出するコイルアンテナ、前記コイルアンテナ下方に前記コイルアンテナと平行に配置された磁束を集中させる補助コイルと、受信した信号の処理及び送信信号を出力する制御回路と、から構成される移動体識別用応答器。
【請求項７】
前記コイルアンテナ上方に配置された金属遮蔽板を有する請求項６記載の移動体識別用応答器。
【請求項８】
前記コイルアンテナ上方に配置された前記コイルアンテナをはめ込む溝を設けた磁性体を有する請求項６記載の移動体識別用応答器。
【請求項９】
前記磁束を集中させる補助コイルは、前記コイルアンテナと同等の大きさである請求項６から８に記載の移動体識別用応答器。
【請求項１０】
出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、前記コイルアンテナ下方に配置された補助コイル、前記コイルアンテナ上方に配置された金属遮蔽板、受信した信号の処理及び送信信号を出力する制御回路を有した応答器より構成される移動体識別システム。
【請求項１１】
出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、前記コイルアンテナ下方に配置された補助コイル、受信した信号の処理及び送信信号を出力する制御回路を有した応答器、前記応答器上方に配置された、前記応答器コイルアンテナと同等の大きさの溝を有する磁性体より構成される移動体識別システム。
【請求項１２】
出力信号を出力するとともに受信信号の処理を行う制御回路、前記出力信号の送信及び応答器からの信号を受信するコイルアンテナを少なくとも有した質問器と、前記質問器のコイルアンテナ上方に装着される補助コイルと、少なくとも前記質問器から送出される信号を受信するとともに、前記質問器のアンテナに応答信号を送出するコイルアンテナ、受信した信号の処理及び送信信号を出力する制御回路を有した応答器より構成される移動体識別システム。
【請求項１３】
出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、受信した信号の処理及び送信信号を出力する制御回路を有した応答器と、前記応答器のコイルアンテナ下方に装着される補助コイルより構成される移動体識別システム。
【発明の詳細な説明】
【０００１】
【発明の属する技術分野】
本発明は主として、移動体識別システムに用いられる質問器及び応答器の構成に関する。
【０００２】
【従来の技術】
従来、移動体識別システム用質問器及び応答器の構成としては特開平１０−２１５２１０号公報に記載されたものが知られている。
【０００３】
図１１に従来の移動体識別システム用質問器と応答器（タグ）の構造を示す。質問器１１０１には送受信用のコイルアンテナとしての質問器側コイル１１０２と第二同調コイル１１０７、コンデンサ１１０８が備えられていて、質問器１１０１上方には同調回路として第一同調コイル１１０５とコンデンサ１１０６が配置されている。タグ１１０４には送受信コイル１１０３が備えられていて、質問器１１０１の質問器側コイル１１０２と第一同調コイル１１０５の間にタグ１１０４を置くことによって、質問器１１０１と通信を行う。
【０００４】
なお、このような移動体識別システムは、例えば鉄道の改札口に設置された質問器と、乗車券や定期券としての情報を持つＩＣカード状のタグとの間で非接触に通信を行う自動改札システムなどに応用されている。
【０００５】
【発明が解決しようとする課題】
この移動体識別システム用質問器及び応答器においては、利用者の利便性を向上させるために、小型、低価格及び、通信距離が長く、他の装置への干渉の少ない装置を実現することが要求されている。
【０００６】
本発明は、このような移動体識別システム用質問器及び応答器において、小型、低価格及び、通信距離が長く、他の装置への干渉の少ない装置を実現することを目的とする。
【０００７】
【課題を解決するための手段】
この課題を解決するために本発明は、質問器コイルアンテナ上方に補助コイルを配置することによって、従来、質問器コイルアンテナ上下方向に広く分散していた磁束の指向性を制御し、所望の応答器コイルアンテナに集中させることで、より大きな電力が質問器から応答器へ伝送されるように構成したものである。
【０００８】
これにより、小型、低価格及び、通信距離が長く、他の装置への干渉の少ない移動体識別システムが構成できる。
【０００９】
本発明の請求項１に記載の発明は、出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、受信した信号の処理及び送信信号を出力する制御回路を有した応答器と、前記質問器のコイルアンテナと前記応答器のコイルアンテナの間に前記質問器のコイルアンテナと平行に配置された磁束を集中させる補助コイルと、から構成される移動体識別システムとしたものである。
【００１０】
これにより、質問器コイルアンテナと応答器コイルアンテナの間に磁束を集中させる補助コイルを前記質問器のコイルアンテナと平行に配置することで質問器と応答器の間の磁界分布を変化させて、所望の応答器コイルアンテナに磁束を集中させることによって、応答器に伝送される電力が大きくなり通信距離を長くすることができるという作用を有する。また、磁束を所望の応答器に集中させているため、これ以外の場所では磁界が弱くなり、他の装置への影響が小さいという作用も有する
【００１１】
本発明の請求項２に記載の発明は、出力信号を出力するとともに受信信号の処理を行う制御回路、前記出力信号の送信及び外部からの信号を受信するコイルアンテナと、前記コイルアンテナ上方に前記コイルアンテナと平行に配置された磁束を集中させる補助コイルと、から構成される移動体識別用質問器としたものである。
【００１２】
これにより、質問器コイルアンテナ上方に磁束を集中させる補助コイルを前記質問器コイルアンテナと平行に配置することで質問器上方の磁界分布を変化させて、所望の応答器コイルアンテナに磁束を集中させることによって、応答器に伝送される電力が大きくなり通信距離を長くすることができるという作用を有する。また、磁束を所望の応答器に集中させているため、これ以外の場所では磁界が弱くなり、他の装置への影響が小さいという作用も有する。
【００１３】
本発明の請求項３に記載の発明は、前記コイルアンテナ下方に配置された金属遮断板を有する請求項２記載の移動体識別用質問器としたものである。
【００１４】
これにより質問器コイルアンテナ下方に金属遮蔽板を配置することで質問器下方に放射していた磁束を質問器上方に放射するように制御することによって、応答器に伝送される電力が大きくなり通信距離を長くすることができるという作用を有する。
【００１５】
本発明の請求項４に記載の発明は、前記コイルアンテナ下方に配置された前記コイルアンテナをはめ込む溝を設けた磁性体を有する請求項２記載の移動体識別用質問器としたものである。
【００１６】
これにより質問器コイルアンテナを溝を設けた磁性体にはめ込むことで質問器下方に放射していた磁束を質問器上方に放射するように制御することによって、応答器に伝送される電力が大きくなり通信距離を長くすることができるという作用を有する。
【００１９】
本発明の請求項５に記載の発明は、前記磁束を集中させる補助コイルは、前記コイルアンテナと同等の大きさである請求項２から４に記載の移動体識別用質問器としたものであり、質問器コイルアンテナと同等の大きさの磁束を集中させる補助コイルを配置することで、通信距離が長く、他の装置への影響が小さいという作用を小型な質問器で実現できる。
【００２０】
本発明の請求項６に記載の発明は、外部からの信号を受信するとともに、外部に信号を送出するコイルアンテナ、前記コイルアンテナ下方に前記コイルアンテナと平行に配置された磁束を集中させる補助コイルと、受信した信号の処理及び送信信号を出力する制御回路と、から構成される移動体識別用応答器としたものである。
【００２１】
これにより応答器コイルアンテナ下方に磁束を集中させる補助コイルを前記コイルアンテナと平行に配置することで応答器周辺の磁界分布を変化させ、応答器コイルアンテナに磁束を集中させることによって、応答器に伝送される電力が大きくなり通信距離を長くすることができるという作用を有する。
【００２２】
本発明の請求項７に記載の発明は、前記コイルアンテナ上方に配置された金属遮蔽板を有する請求項６記載の移動体識別用応答器としたものである。
【００２３】
これにより応答器コイルアンテナ上方に金属遮断板を配置することで応答器周辺の磁界分布を変化させ、応答器コイルアンテナに磁束を集中させることによって、応答器に伝送される電力が大きくなり通信距離を長くすることができるという作用を有する。
【００２４】
本発明の請求項８に記載の発明は、前記コイルアンテナ上方に配置された前記コイルアンテナをはめ込む溝を設けた磁性体を有する請求項６記載の移動体識別用応答器としたものである。
【００２５】
これにより応答器コイルアンテナ上方に磁束の指向性制御用の溝を設けた磁性体を配置することで応答器周辺の磁界分布を変化させ、応答器コイルアンテナに磁束を集中させることによって、応答器に伝送される電力が大きくなり通信距離を長くすることができるという作用を有する。
【００２６】
本発明の請求項９に記載の発明は、前記磁束を集中させる補助コイルは、前記コイルアンテナと同等の大きさである請求項６から８に記載の移動体識別用応答器としたものであり、応答器コイルアンテナと同等の大きさの磁束を集中させる補助コイルを配置することで、通信距離が長く、他の装置への影響が小さいという作用を小型な応答器で実現できる。
【００２７】
本発明の請求項１０に記載の発明は、出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、前記コイルアンテナ下方に配置された補助コイル、前記コイルアンテナ上方に配置された金属遮蔽板、受信した信号の処理及び送信信号を出力する制御回路を有した応答器より構成される移動体識別システムとしたものである。
【００２８】
これにより応答器コイルアンテナ上方に金属遮断板を配置することで応答器周辺の磁界分布を変化させ、応答器コイルアンテナに磁束を集中させることによって、応答器に伝送される電力が大きくなり通信距離を長くすることができるという作用を有する。
【００２９】
本発明の請求項１１に記載の発明は、出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、前記コイルアンテナ下方に配置された補助コイル、受信した信号の処理及び送信信号を出力する制御回路を有した応答器、前記応答器上方に配置された、前記応答器コイルアンテナと同等の大きさの溝を有する磁性体より構成される移動体識別システムとしたものである。
【００３０】
これにより応答器コイルアンテナ上方に磁束の指向性制御用の溝を設けた磁性体を配置することで応答器周辺の磁界分布を変化させ、応答器コイルアンテナに磁束を集中させることによって、応答器に伝送される電力が大きくなり通信距離を長くすることができるという作用を有する。
【００３１】
本発明の請求項１２に記載の発明は、出力信号を出力するとともに受信信号の処理を行う制御回路、前記出力信号の送信及び応答器からの信号を受信するコイルアンテナを少なくとも有した質問器と、前記質問器のコイルアンテナ上方に装着される補助コイルと、少なくとも前記質問器から送出される信号を受信するとともに、前記質問器のアンテナに応答信号を送出するコイルアンテナ、受信した信号の処理及び送信信号を出力する制御回路を有した応答器より構成される移動体識別システムとしたものである。
【００３２】
これにより補助コイルを着脱可能として、システムに応じた補助コイルに容易に取り替え可能とすることによって、高性能な移動体識別システムを容易かつ安価に構成することができるという作用を有する。
【００３３】
本発明の請求項１３に記載の発明は、出力信号を出力するとともに受信信号の処理を行う制御回路、前記出力信号の送信及び応答器からの信号を受信するコイルアンテナを少なくとも有した質問器と、少なくとも前記質問器から送出される信号を受信するとともに、前記質問器のアンテナに応答信号を送出するコイルアンテナ、受信した信号の処理及び送信信号を出力する制御回路を有した応答器と、前記応答器のコイルアンテナ下方に装着される補助コイルより構成される移動体識別システムとしたものである。
【００３４】
これにより補助コイルを着脱可能として、システムに応じた補助コイルに容易に取り替え可能とすることによって、高性能な移動体識別システムを容易かつ安価に構成することができるという作用を有する。
【００３５】
以下、本発明の実施の形態について、図１から図１０を用いて説明する。
【００３６】
（実施の形態１）
図１は本発明の実施の形態１における移動体識別装置システムの、質問器及び応答器の位置関係を示す図である。図1において、質問器側コイルアンテナ１０２上方に補助コイル１０３が配置されている。質問器側コイルアンテナ１０２及び補助コイル１０３としては、例えば半径ｒ１＝５０ｍｍ程度の円形コイルが用いられる。質問器１０１上方に応答器１０４がかざされることによって、質問器１０１は応答器１０４と通信を行い、応答器１０４からデータの読み取り及びデータの書き込みを行う。応答器側コイルアンテナ１０５としては、例えば半径ｒ２＝２０ｍｍ程度の円形コイルが用いられる。質問器１０１と応答器１０４の最大通信距離ｈ２は、質問器側コイルアンテナ１０２と補助コイル１０３の間隔ｈ１を変化させることで調整することが可能である。
【００３７】
以上の構成をとることによって、質問器１０１上方の磁界分布を、応答器１０４をかざす位置に集中させることによって、応答器１０４に伝送される電力が大きくなり通信距離を長くすることができる。また、磁束を所望の応答器１０４に集中させているため、これ以外の場所では磁界が弱くなり、他の装置への影響を小さくすることができる。
【００３８】
なお、以上の説明では、質問器側コイルアンテナ１０２、補助コイル１０３、応答器側コイルアンテナ１０５を円形で構成した例で説明したが、その他の長方形、楕円形についても同様に実施可能である。
【００３９】
なお、以上の説明では、補助コイル１０３を質問器コイルアンテナ１０２と同じ大きさで構成した例で説明したが、質問器コイルアンテナ１０２より小さく、応答器側コイルアンテナ１０５より大きい形状としても同様に実施可能である。
【００４０】
（実施の形態２）
図２は本発明の実施の形態２における移動体識別装置システムの質問器、補助コイル、応答器の位置関係を示す図で、図２において実施の形態１と異なるのは補助コイル２０３を応答器側コイルアンテナ２０５の下方に配置し、応答器２０４に内蔵した点である。
【００４１】
質問器２０１、質問器側コイルアンテナ２０２、ＩＣ２０６、制御回路２０８および給電線２０９はそれぞれ図１の質問器１０１、質問器側コイルアンテナ１０２、ＩＣ１０６、制御回路１０８および給電線１０９と同一である。
【００４２】
以上の構成をとることによって、応答器２０４周辺の磁界分布を変化させて、応答器側コイルアンテナ２０５に磁束を集中させることによって、応答器２０４に伝送される電力が大きくなり通信距離を長くすることができる。
【００４３】
（実施の形態３）
図３は本発明の実施の形態３における移動体識別装置システムの質問器、補助コイルの位置関係を示す図で、図３において実施の形態１と異なるのは、金属遮蔽板３０６を質問器側コイルアンテナ３０２下方に設置した点である。なお、応答器は図示を省略しているが、図１と同様な位置に設けられる。
【００４４】
質問器３０１、質問器側コイルアンテナ３０２、補助コイル３０３はそれぞれ図１の質問器１０１、質問器側コイルアンテナ１０２、補助コイル１０３と同一である。３０４は制御回路、３０５は給電線である。
【００４５】
以上の構成をとることによって、質問器３０１下方に放射していた磁束を質問器３０１上方に放射するように制御することによって、応答器に伝送される電力が大きくなり通信距離を長くすることができる。
【００４６】
なお、金属遮蔽版３０６を軽量化のためにメッシュ構造としても同様に実施可能である。
【００４７】
（実施の形態４）
図４は本発明の実施の形態４における移動体識別装置システムの質問器、補助コイル、応答器の位置関係を示す図で、図４において実施の形態１と異なるのは、金属遮蔽板４０７を応答器側コイルアンテナ４０５上方に設置した点である。
【００４８】
質問器４０１、質問器側コイルアンテナ４０２、補助コイル４０３、応答器４０４、応答器側コイルアンテナ４０５、ＩＣ４０６、制御回路４０８および給電線４０９はそれぞれ図１の質問器１０１、質問器側コイルアンテナ１０２、補助コイル１０３、応答器１０４、応答器側コイルアンテナ１０５、ＩＣ１０６、制御回路１０８および給電線１０９と同一である。
【００４９】
以上の構成をとることによって、応答器４０４周辺の磁界分布を変化させ、応答器側コイルアンテナ４０５に磁束を集中させることによって、応答器４０４に伝送される電力が大きくなり通信距離を長くすることができる。
【００５０】
なお、金属遮蔽版４０７を軽量化のためにメッシュ構造としても同様に実施可能である。
【００５１】
（実施の形態５）
図５は本発明の実施の形態５における移動体識別装置システムの質問器、補助コイルの位置関係を示す図で、図５において実施の形態３と異なるのは、金属遮蔽板３０６の代わりに磁性体５０６を設け、質問器側コイルアンテナ５０２を磁性体５０６の溝にはめ込んだ点である。
【００５２】
質問器５０１、補助コイル５０３、制御回路５０４、給電線５０５は、質問器３０１、補助コイル３０３、制御回路３０４、給電線３０５と同一である。
【００５３】
以上の構成をとることによって、質問器５０１下方に放射していた磁束を質問器５０１上方に放射するように制御することによって、応答器に伝送される電力が大きくなり通信距離を長くすることができるという作用を有する。
【００５４】
なお、以上の説明では質問器側コイルアンテナ５０２下方に磁性体５０６を配置するように構成した例で説明したが、応答器コイルアンテナ上方に磁性体を設置して構成して、応答器コイルアンテナ周辺の磁界を制御しても同様に実施可能である。
【００５５】
（実施の形態６）
図６は本発明の実施の形態６における移動体識別装置システムの概略構成を示す図で、図６において実施の形態３と異なるのは、質問器側コイルアンテナ６０２を長方形、補助コイル６０３を円形にした点である。
【００５６】
質問器６０１、制御回路６０４、給電線６０５、金属遮蔽板６０６は、質問器３０１、制御回路３０４、給電線３０５、金属遮蔽板３０６と同一である。
【００５７】
以上の構成をとることによって、直方体の質問器６０１上の質問器側コイルアンテナ６０２設置面に、質問器側コイルアンテナ６０２をコイル面積最大となる長方形で構成することによって質問器６０１上方に放射できる磁束を多くすることによって、通信距離を長くすることができる。
【００５８】
（実施の形態７）
図７は本発明の実施の形態７における移動体識別装置システムの概略構成を示す図で、図７おいて実施の形態６と異なるのは、質問器側コイルアンテナ７０２を円形、補助コイル７０３を長方形にした点である。
【００５９】
質問器７０１、制御回路７０４、給電線７０５、金属遮蔽板７０６は、質問器６０１、制御回路６０４、給電線６０５、金属遮蔽板６０６と同一である。
【００６０】
以上の構成をとることによって、質問器７０１上方の磁界分布を任意に変化させて、他の装置への干渉を小さくすることができる。
【００６１】
（実施の形態８）
図８は本発明の実施の形態８における移動体識別装置システムの質問器、補助コイル、応答器の位置関係を示す図で、図８において実施の形態３と異なるのは補助コイル８０３を補助キット８１０に内包し、着脱可能とした点である。
【００６２】
質問器８０１、質問器側コイルアンテナ８０２、金属遮蔽板８０７、制御回路８０８、給電線８０９は質問器３０１、質問器側コイルアンテナ３０２、金属遮蔽板３０６、制御回路３０４、給電線３０５と同一である。
【００６３】
補助コイル８０３を着脱可能とすることによって、システムに応じた補助コイル８０３に容易に取り替えが可能となり、高性能な移動体識別システムを小型かつ安価に構成することができる。
【００６４】
なお、以上の説明では補助コイル８０３を着脱可能に構成した例で説明したが、金属遮蔽板８０７を補助キットに内包し、着脱可能としても同様に実施可能である。
【００６５】
（実施の形態９）
図９は本発明の実施の形態９における移動体識別装置システムの質問器、補助コイル、応答器の位置関係を示す図で、図９において実施の形態８と異なるのは応答器側コイルアンテナ９０５、ＩＣ９０６を有する応答器９０４を、補助コイル９０３を内包した補助コイルキット９１０に差し込む構造とした点である。
【００６６】
質問器９０１、質問器側コイルアンテナ９０２、金属遮蔽板９０７、制御回路９０８、給電線９０９は質問器８０１、質問器側コイルアンテナ８０２、金属遮蔽板８０７、制御回路８０８、給電線８０９と同一である。
【００６７】
応答器９０４はそれ単独でも質問器９０１との非接触での通信が可能であるが、より広いエリアでの通信が必要となるときは、補助コイル９０３を内包した補助キット９１０に差し込み、遠距離での通信を可能とする。透明窓９１１は、応答器９０４の表面に記載されている表示が見えるように設置されている。
【００６８】
以上の構成をとることで、システムに応じた補助コイルに容易に取り替え可能とすることによって、高性能な移動体識別システムを小型かつ安価に構成することができる。
【００６９】
なお、以上の説明では応答器９０４を補助キット９１０に差し込む構成とした例で説明したが、差し込む構成としても同様に実施可能である。
【００７０】
（実施の形態１０）
図１０は本発明の実施の形態１０における移動体識別装置システムの質問器、補助コイル、応答器、接触型ＩＣカードの位置関係を示す図で、図１０において実施の形態９と異なるのは応答器１００４の構成および接触型ＩＣカード１０１０を応答器１００４に差し込む構造とした点である。
【００７１】
質問器１００１、質問器側コイルアンテナ１００２、金属遮蔽板１００７、制御回路１００８、給電線１００９はそれぞれ質問器９０１、質問器側コイルアンテナ９０２、金属遮蔽板９０７、制御回路９０８、給電線９０９と同一である。
【００７２】
非接触通信用の応答器側コイルアンテナ１００５、補助コイル１００３およびＩＣ１００６を備えた応答器１００４に、接触型ＩＣカード１０１０を差し込む。接触型ＩＣカード１０１０に搭載されている情報は、接触点１０１１を介して応答器１００４に読み込まれ、内蔵のＩＣ１００６によって非接触通信用の情報に変換されて、質問器１００１との通信に用いられる。また、質問器１００１からの書き込み情報は、ＩＣ１００６により処理されて、接触点を介して接触型ＩＣカード１０１０に書き込まれる。
【００７３】
以上の構成をとることで、従来から利用されてきた接触型ＩＣカード１０１０を非接触ＩＣカードと同様に用いることができようになり、例えば、高い秘匿性が必要とされる場合には接触型として、移動しながらの利用には非接触型として使うといった高性能な移動体識別システムを小型かつ安価に構成することができる。
【００７４】
なお、以上の説明ではを応答器１００４に差し込むカードを接触型ＩＣカード１０１０として構成した例で説明したが、通信距離の極めて短い非接触型のＩＣカードを差し込む構成としても同様に実施可能である。
【００７５】
【発明の効果】
以上のように本発明によれば、質問器および応答器を有する移動体識別システムにおいて、質問器コイルアンテナと応答器コイルアンテナの間に補助コイルを設置することにより、小型、低価格及び、通信距離が長く、他の装置への干渉の少ない装置を実現できるという有利な効果が得られる。
【図面の簡単な説明】
【図１】本発明の実施の形態１による移動体識別システムの位置関係を示す側面図
【図２】本発明の実施の形態２による移動体識別システムの位置関係を示す側面図
【図３】本発明の実施の形態３による移動体識別システムの位置関係を示す斜視図および側面図
【図４】本発明の実施の形態４による移動体識別システムの位置関係を示す側面図
【図５】本発明の実施の形態５による移動体識別システムの位置関係を示す斜視図および側面図
【図６】本発明の実施の形態６による移動体識別システムの位置関係を示す斜視図および側面図
【図７】本発明の実施の形態７による移動体識別システムの位置関係を示す斜視図および側面図
【図８】本発明の実施の形態８による移動体識別システムの位置関係を示す側面図
【図９】本発明の実施の形態９による移動体識別システムの位置関係を示す側面図
【図１０】本発明の実施の形態１０による移動体識別システムの位置関係を示す側面図
【図１１】従来の移動体識別システムの構成概略図
【符号の説明】
１０１、２０１、３０１、４０１、５０１  質問器
６０１、７０１、８０１、９０１、１００１  質問器
１０２、２０２、３０２、４０２、５０２  質問器側コイルアンテナ
６０２、７０２、８０２、９０２、１００２  質問器側コイルアンテナ
１０３、２０３、３０３、４０３、５０３  補助コイル
６０３、７０３、８０３、９０３、１００３  補助コイル
１０４、２０４、４０４、９０４、１００４  応答器
１０５、２０５、４０５．９０５、１００５  応答器側コイルアンテナ
１０６、２０６、４０６、９０６、１００６  ＩＣ
１０８、２０８、３０４、４０８、５０４、６０４  制御回路
７０４、８０８、９０８、１００８  制御回路
１０９、２０９、３０５、４０９、５０５、６０５  給電線
７０５、８０９、９０９、１００９  給電線
３０６、６０６、７０６、８０７、９０７、１００７  金属遮蔽板
５０６  磁性体
８１０、９１０  補助キット
９１１  透明窓
１０１０  接触型ＩＣカード
１０１１  接触点
【図１】
0003864624.tif 000002
【図２】
0003864624.tif 000003
【図３】
0003864624.tif 000004
【図４】
0003864624.tif 000005
【図５】
0003864624.tif 000006
【図６】
0003864624.tif 000007
【図７】
0003864624.tif 000008
【図８】
0003864624.tif 000009
【図９】
0003864624.tif 000010
【図１０】
0003864624.tif 000011
【図１１】
0003864624.tif 000012